(57)【要約】【課題】フラップ同士を係合して封緘したフラップに手を差し込んで持ち上げても、封緘が外れることのない簡易封緘箱を提供する。【解決手段】対向する一対の第一側面板１、１と、第一側面板と直交して対向する一対の第二側面板２、２と、第一側面板のそれぞれの上端に折罫を介して第一フラップ４、４と、第二側面板のそれぞれの上端に折罫を介して第二フラップ５、５とを有し、第一フラップと第二フラップを係合して封緘する簡易封緘箱であって、第一フラップに、第一側面板側から先端側に向かって互いに広がる２箇所の斜め折罫６、６、６、６を設けて、２箇所の斜め折罫のそれぞれを介して係止突起７、７、７、７を延設し、係止突起の先端部をそれぞれ、第二フラップの下に差し込んで封緘する。【選択図】図１
2014118154.tif 000002
【特許請求の範囲】
【請求項１】
対向する一対の第一側面板と、前記第一側面板と直交して対向する一対の第二側面板と、前記第一側面板のそれぞれの上端に折罫を介して第一フラップと、前記第二側面板のそれぞれの上端に折罫を介して第二フラップとを有し、前記第一フラップと前記第二フラップを係合して封緘する簡易封緘箱であって、
前記第一フラップに、前記第一側面板側から先端側に向かって互いに広がる２箇所の斜め折罫を設けて、該２箇所の斜め折罫のそれぞれを介して係止突起を延設し、該係止突起の先端部をそれぞれ、前記第二フラップの下に差し込んで封緘することを特徴とする簡易封緘箱。
【請求項２】
前記第二フラップの前記第二側面板と反対側の両端に、突出部が設けられ、前記第二フラップを内方に倒したとき、前記突出部の先端が略突き当たるようにしたことを特徴とする請求項１に記載の簡易封緘箱。
【発明の詳細な説明】
【技術分野】
【０００１】
本発明は、簡易封緘箱に関するものである。
【背景技術】
【０００２】
四角筒状に配置した側面板の上端にそれぞれフラップが設けられ、フラップ同士で係合して封緘する簡易封緘箱がある。このような簡易封緘箱は、長ネギや、ニラ、白菜などの野菜を収納し、出荷する容器として、広く用いられている。
【０００３】
このような簡易封緘箱では、市場や流通過程において、フラップの先端縁に手を掛けて、ぶら下げるように持ち運ばれることがあるので、フラップが撓んで係合が外れたり、破れたりしないように工夫されている簡易封緘箱がある。
【０００４】
この簡易封緘箱のブランクは、図５のように、各一対の第一側面板１１、１１と、第二側面板１２、１２が交互に連設され、その一端に貼着板１３が設けられている。第一側面板１１、１１及び第二側面板１２、１２の上縁には第一フラップ１４、１４と第二フラップ１５、１５がそれぞれ連設されている。
【０００５】
第二フラップ１５、１５の両側部には、先端縁から突出する抱込部１８が設けられ、第二フラップ１５、１５はコ字状となっている。第一フラップ１４、１４の先端には、切目間の繋ぎを介して折返板１６、１６がそれぞれ連設され、その両側には抜止片１７、１７、１７，１７が連設されている。
【０００６】
上記ブランクを組み立てるには、図６に示すように、各一対の第一側面板１１、１１及び第二側面板１２、１２を角筒状に折り曲げ、貼着板１３を貼着させて筒状に形成し、一対の第二フラップ１５、１５を内側へ折り曲げ、次に、抜止片１７、１７、１７，１７を内方向へ折り曲げつつ、折返板１６、１６を対向する第二フラップ１５、１５の間に押し込む。このようにして、天部を封緘する簡易封緘箱がある（特許文献１）。
【０００７】
この簡易封緘箱の場合、第二フラップ１５、１５の下に差し込まれた抜止片１７、１７、１７，１７と折返板１６、１６の間が一旦折られてから差し込まれるので、その折部が第二フラップ１５、１５の間より内側に沿って形成される。そのため、第二フラップ１５、１５や、あるいは、折返板１６の下に手を入れて持ち上げようとすると、その折部で折れて、抜止片１７、１７が第二フラップ１５、１５より抜けてしまい、封緘が外れてしまう恐れがある。
【０００８】
公知文献を以下に示す。
【先行技術文献】
【特許文献】
【０００９】
【特許文献１】特開２００４−３５２３５４号公報
【発明の概要】
【発明が解決しようとする課題】
【００１０】
本発明は上記した事情に鑑みてなされたもので、フラップ同士を係合して封緘したフラップに手を差し込んで持ち上げても、封緘が外れることのない簡易封緘箱を提供することを課題としている。
【課題を解決するための手段】
【００１１】
本発明の請求項１に係る発明は、対向する一対の第一側面板と、前記第一側面板と直交して対向する一対の第二側面板と、前記第一側面板のそれぞれの上端に折罫を介して第一フラップと、前記第二側面板のそれぞれの上端に折罫を介して第二フラップとを有し、前記第一フラップと前記第二フラップを係合して封緘する簡易封緘箱であって、
前記第一フラップに、前記第一側面板側から先端側に向かって互いに広がる２箇所の斜め折罫を設けて、該２箇所の斜め折罫のそれぞれを介して係止突起を延設し、該係止突起の先端部をそれぞれ、前記第二フラップの下に差し込んで封緘することを特徴とする簡易封緘箱である。
【００１２】
本発明の請求項２に係る発明は、前記第二フラップの前記第二側面板と反対側の両端に、突出部が設けられ、前記第二フラップを内方に倒したとき、前記突出部の先端が略突き当たるようにしたことを特徴とする請求項１に記載の簡易封緘箱である。
【発明の効果】
【００１３】
本発明の簡易封緘箱は、第一フラップに、互いに広がる２箇所の斜め折罫を介して、それぞれに係止突起が延設されていて、係止突起の先端部をそれぞれ、第二フラップの下に差し込んで封緘するようになっているので、係合して封緘したフラップに手を差し込んで持ち上げても、封緘が外れることがない。
【００１４】
また、第二フラップの第二側面板と反対側の両端に、突出部が設けられ、第二フラップを内方に倒したとき、突出部の先端が略突き当たるようにして有るので、封緘したときにしっかりと安定する。
【図面の簡単な説明】
【００１５】
【図１】本発明の簡易封緘箱の一例のブランクを模式的に示した説明図である。
【図２】本発明の簡易封緘箱の一例を組み立てる第１ステップを模式的に平面で示した説明図である。
【図３】本発明の簡易封緘箱の一例を組み立てる第２ステップを模式的に正面で示した説明図である。
【図４】本発明の簡易封緘箱の一例の組みあがった天部の構造を模式的に平面で示した説明図である。
【図５】従来の簡易封緘箱の一例のブランクを模式的に示した説明図である。
【図６】従来の簡易封緘箱の一例の天部を組み立てる状態を模式的に斜視で示した説明図である。
【発明を実施するための形態】
【００１６】
以下、本発明を実施するための形態につき説明する。
【００１７】
図１は、本発明の簡易封緘箱の一例のブランクを模式的に示した説明図、図２は、本発明の簡易封緘箱の一例を組み立てる第１ステップを模式的に平面で示した説明図、図３は、本発明の簡易封緘箱の一例を組み立てる第２ステップを模式的に正面で示した説明図、図４は、本発明の簡易封緘箱の一例の組みあがった天部の構造を模式的に平面で示した説明図である。
【００１８】
本例の簡易封緘箱１００は、板紙や段ボールからなる図１のブランク２００を、一点鎖線で示した折罫を必要に応じて折って、必要部分をホットメルト剤やグルーなどで貼着して製函する。尚、実線は外形線または切れ目、切り込みである。この図１のブランクの説明図は、用紙の表面側すなわち簡易封緘箱の主に外側となる面から見た図である。
【００１９】
図１のように、本例の簡易封緘箱１００のブランク２００は、一対の第一側面板１、１と、一対の第二側面板２、２とが交互に設けられていて、その一端に貼着板３が設けられている。
【００２０】
そして、第一側面板１、１のそれぞれの上端に折罫を介して第一フラップ４、４と、第二側面板２、２のそれぞれの上端に折罫を介して第二フラップ５、５がそれぞれ設けられている。
【００２１】
第一フラップ４、４には、第一側面板１、１側から先端側に向かって互いに広がる２箇所の斜め折罫６、６、６、６が設けられている。本例では、２箇所の斜め折罫６、６、６、６は、それぞれ２本の平行な折罫からなっている。
そして、この斜め折罫６、６、６、６を介して、それぞれに係止突起７、７、７、７が延設されている。また、第二フラップ５、５の第二側面板２、２と反対側の両端に、突出部８、８、８、８が設けられている。
【００２２】
すなわち、係止突起７は、第一フラップ４に設けられた互いに広がる２箇所の斜め折罫６、６と、斜め折罫６、６の第一側面板１、１側の端部同士を結ぶ連結切断線４ａと、この切断線の中央から先端側に延び、係止突起７、７を２つに分離する分離切断線４ｂと、斜め折罫６の先端側から連結切断線と平行に伸びて、第二フラップ５、５の下に差し込めるようにするための差込切断線４ｃで形成されている。
【００２３】
また、第一側面板１、１のそれぞれの下端に折罫を介して第一底部フラップ９、９と、第二側面板２、２のそれぞれの下端に折罫を介して第二底部フラップ１０、１０がそれぞれ設けられている。
【００２４】
次に、ブランク２００から簡易封緘箱１００を組み立てる方法について説明する。
【００２５】
まず、一対の第一側面板と一対の第二側面板で、四角筒形状になるように、貼着板３を反対側の端部内面に貼着して筒状にする。この状態では、四角筒状であるので、押し潰して平坦にすることができ、保管や輸送する場合に場所をとることがなく便利である。
【００２６】
次に、図２の平面図のように、第二フラップ５、５を内側に倒して、突出部８、８、８、８の先端を突き合わせる。このようにして、突出部８、８、８、８の先端を略突き当たるようにする。このとき、第一フラップ４、４は外側に倒しておくとやり易い。
【００２７】
そして、図３の正面図のように、斜め折罫６、６、６、６を折って、係止突起７、７、７、７を、それぞれ、図の左側のように、外側に向けて起こす。そして、図の右側のように、第一フラップ４、４を倒して行き、係止突起７、７、７、７をその先端から第二フラップ５、５の間に差込んでいく。
【００２８】
次に、斜め折罫６、６、６、６を平坦に戻すようにして、係止突起７、７、７、７の先端を第二フラップ５、５の下に沿わせるようにする。これによって、図４のように、係止突起７、７、７、７の先端が、第二フラップ５、５の下に差し込まれて天部が封緘される。
【００２９】
このように天部が封緘された簡易封緘箱１００の天地をひっくり返して、野菜などの収納物を入れ、第一底部フラップ９、９を内側に倒して、次に、第二底部フラップ１０、１０を倒し、底部を、テープやホットメルト剤、あるいはステープルで封緘すれば、収納物を収納した簡易封緘箱１００が組み立てられる。
【００３０】
以上のように、本発明の簡易封緘箱は、第一フラップに、互いに広がる２箇所の斜め折罫を介して、それぞれに係止突起が延設されていて、係止突起の先端部をそれぞれ、第二フラップの下に差し込んで封緘するようになっているので、斜め折罫が第二フラップの間にないので、フラップの下に手を入れて、簡易封緘箱を持ち上げても、しっかり係止されているので、封緘が外れることがない。
【００３１】
更には、第二フラップに突出部が設けられ、第二フラップを内方に倒したとき、突出部の先端が略突き当たるようにして有るので、しっかりとしていて、封緘が安定している。
【符号の説明】
【００３２】
１００・・・簡易封緘箱
２００・・・ブランク
１、１・・・第一側面板
２、２・・・第二側面板
３・・・貼着板
４、４・・・第一フラップ
４ａ・・・連結切断線
４ｂ・・・分離切断線
４ｃ・・・差込切断線
５、５・・・第二フラップ
６、６、６、６・・・斜め折罫
７、７、７、７・・・係止突起
８、８、８、８・・・突出部
９、９・・・第一底部フラップ
１０、１０・・・第二底部フラップ
１１、１１・・・第一側面板
１２、１２・・・第二側面板
１３・・・貼着板
１４、１４・・・第一フラップ
１５、１５・・・第二フラップ
１８・・・抱込部
１６、１６・・・折返板
１７、１７、１７，１７・・・抜止片
【図１】
2014118154.tif 000003
【図２】
2014118154.tif 000004
【図３】
2014118154.tif 000005
【図４】
2014118154.tif 000006
【図５】
2014118154.tif 000007
【図６】
2014118154.tif 000008